(57)【要約】    【課題】  シークイン送り装置に設けられ、シークインが切れたことを検出できるシークイン切れ検出装置を提供すること。    【解決手段】  複数個の絶縁体のシークイン２を連結してなるシークイン連結体３を送り出すシークイン送り装置４に設けられるシークイン切れ検出装置１であって、導体で形成され、シークイン連結体３に沿って配置されるベース５と、導体で形成され、弾性力によってシークイン連結体３をベース５に押し付けるシークイン押え６と、絶縁体で形成され、ベース５に取り付けられると共に、シークイン押え６を支持するシークイン押えベース７と、ベース５及びシークイン押え６と電気的に接続される制御部８と、を備え、ベース５とシークイン押え６の間を電気的接点２０として用いる構成としたこと。【選択図】  図１
2008264196.tif 000002
【特許請求の範囲】
【請求項１】
複数個の絶縁体のシークインを連結してなるシークイン連結体を送り出すシークイン送り装置に設けられるシークイン切れ検出装置であって、
導体で形成され、前記シークイン連結体に沿って配置されるベース部材と、
導体で形成され、弾性力によって前記シークイン連結体を前記ベース部材に押し付ける押え部材と、
絶縁体で形成され、前記ベース部材に取り付けられると共に、前記押え部材を支持する支持部材と、
前記ベース部材及び前記押え部材と電気的に接続される制御部と、
を備え、
前記ベース部材と前記押え部材とを電気的接点として用いることを特徴とするシークイン切れ検出装置。
【請求項２】
前記制御部は、前記ベース部材と前記押え部材の間の電気抵抗値に基づいて前記シークインが切れたことを検出することを特徴とする請求項１に記載のシークイン切れ検出装置。
【請求項３】
前記制御部は、前記電気抵抗値が予め設定した値よりも小さい場合に、前記シークインが切れたと判定することを特徴とする請求項２に記載のシークイン切れ検出装置。
【発明の詳細な説明】
【技術分野】
【０００１】
本発明は、シークイン送り装置に設けられ、シークインが切れたことを検出するシークイン切れ検出装置に関する。
【背景技術】
【０００２】
公知のシークイン送り装置が、後述の特許文献１に記載されている。これは、シークイン連結体を被刺しゅう物に縫い付けるために送り出す装置で、シークイン連結体に沿って配置される支承板（ベース部材）と、弾性力によってシークイン連結体を支承板に押し付ける板バネ状の押え部材と、を備えている。
【特許文献１】特開２００４−１６７０９７号公報
【発明の開示】
【発明が解決しようとする課題】
【０００３】
上述のものはシークイン送り装置の一例であるが、このものを含め、従来のシークイン送り装置においては、シークインが最後まで送り出された時にシークインが切れた（シークインがなくなった）ことを検出できるものはなかった。
【０００４】
シークインが切れたまま作業が進んでしまうと、あとでシークインを付け直さなければならず、作業者にとっては大きな手間がかかっていた。
【０００５】
よって、本発明は上記の問題点に鑑みてなされたものであり、シークイン送り装置に設けられ、シークインが切れたことを検出できるシークイン切れ検出装置を提供することを課題とする。
【課題を解決するための手段】
【０００６】
上記課題を解決するために、本発明にて講じた技術的手段は、請求項１に記載の様に、複数個の絶縁体のシークインを連結してなるシークイン連結体を送り出すシークイン送り装置に設けられるシークイン切れ検出装置であって、導体で形成され、前記シークイン連結体に沿って配置されるベース部材と、導体で形成され、弾性力によって前記シークイン連結体を前記ベース部材に押し付ける押え部材と、絶縁体で形成され、前記ベース部材に取り付けられると共に、前記押え部材を支持する支持部材と、前記ベース部材及び前記押え部材と電気的に接続される制御部と、を備え、前記ベース部材と前記押え部材とを電気的接点として用いる構成としたことである。
【０００７】
好ましくは、請求項２に記載の様に、前記制御部は、前記ベース部材と前記押え部材の間の電気抵抗値に基づいて前記シークインが切れたことを検出すると良い。
【０００８】
好ましくは、請求項３に記載の様に、前記制御部は、前記電気抵抗値が予め設定した値よりも小さい場合に、前記シークインが切れたと判定すると良い。
【発明の効果】
【０００９】
請求項１に記載の発明によれば、シークイン連結体がベース部材と押え部材の間にある場合（シークインあり）は、押え部材とベース部材が絶縁体であるシークインを介して接触する。この場合、押え部材とベース部材が電気的には接触しておらず、押え部材とベース部材の間でスイッチ（電気的接点）が切れる。一方、シークイン連結体がベース部材と押え部材の間にない場合（シークイン切れ）は、押え部材とベース部材が接触してスイッチ（電気的接点）が入る。以上のように、本発明の装置はベース部材と押え部材とを電気的接点として用いるので、この電気的接点での電気的な接触／非接触に基づいて、シークインが切れたことを検出できる。
【００１０】
請求項２に記載の発明によれば、絶縁体であるシークインの有無によってベース部材と押え部材の間の電気抵抗値が大きく変化するので、この電気抵抗値に基づいて、制御部はシークインが切れたことを確実に検出できる。
【００１１】
請求項３に記載の発明によれば、絶縁体であるシークインの有無によってベース部材と押え部材の間の電気抵抗値が大きく変化するので、この電気抵抗値と比較するための所定値を適宜設定することで、制御部はシークインが切れたと確実に判定できる。
【発明を実施するための最良の形態】
【００１２】
以下、本発明を実施するための最良の形態を、図面を基に説明する。
【００１３】
図１は本発明に係るシークイン切れ検出装置１の斜視図、図２は図１におけるＡ方向矢視図である。
【００１４】
シークイン切れ検出装置１は、複数個のシークイン２を連結してなるシークイン連結体３を被刺しゅう物（図示なし）に縫い付けるために送り出すシークイン送り装置４に設けられるものである。シークイン２は、布などの被刺しゅう物に縫い付けるための公知の装飾物であって、円形や皿形などに形成されている。シークイン２は、樹脂材などで形成され、ほとんど電気を伝えない絶縁体である。
【００１５】
シークイン切れ検出装置１は、ベース５と、シークイン押え６と、シークイン押えベース７と、制御部８と、を備えている。
【００１６】
ベース５（ベース部材）は、金属材等の導体を用いて板状（プレート状）に形成され、シークイン連結体３に沿って配置される。シークイン押え６（押え部材）は、金属材等の導体を用いて板バネ状に形成され、弾性力によってシークイン連結体３をベース５に押し付ける。シークイン押え６の端部には、端子６ａが設けられている。シークイン押えベース７（支持部材）は、樹脂材等の絶縁体（絶縁材料）を用いてブロック状に形成されている。シークイン押えベース７は、金属製のボルト９（図２参照）を介してベース５に取り付けられている。ボルト９の端部には、端子９ａが設けられている。また、シークイン押えベース７は、シークイン押え６の端部を保持し、シークイン押え６を支持している。
【００１７】
制御部８は、ボルト９の端子９ａとリード線１０を介して電気的に接続されると共に、シークイン押え６の端子６ａとリード線１１を介して電気的に接続されている。ボルト９は金属製で、金属製のベース５に取り付けられ、ベース５と電気的に接続されている。つまり、制御部８は、ベース５及びシークイン押え６と電気的に接続されている。
【００１８】
制御部８は、ベース５とシークイン押え６との間に通電し、ベース５とシークイン押え６との間の電気抵抗値を常時または所定時間ごとに監視（モニター）している。本発明のシークイン切れ検出装置１では、ベース５とシークイン押え６の間で電気的接点２０が構成される。シークイン連結体３（シークイン２）がベース５とシークイン押え６の間にある場合（シークインあり）は、シークイン押え６とベース５が絶縁体であるシークイン２を介して接触する。この場合、ベース５とシークイン押え６の間の電気抵抗値はほぼ無限大となる。つまり、ベース５とシークイン押え６が電気的には接触しておらず、ベース５とシークイン押え６の間でスイッチ（電気的接点２０）が切れる。一方、シークイン連結体３がベース５とシークイン押え６の間にない場合（シークイン切れ）は、シークイン押え６の弾性力によって、シークイン押え６とベース５が直接接触する。この場合、ベース５とシークイン押え６は共に金属製なので、ベース５とシークイン押え６の間の電気抵抗値はほぼゼロ（または、シークインありの場合とは明らかに区別できる値）となり、ベース５とシークイン押え６の間でスイッチ（電気的接点２０）が入る。このように、本発明のシークイン切れ検出装置１は、ベース５とシークイン押え６との間の部分を電気的接点２０として用いるので、この電気的接点２０での電気的な接触／非接触に基づいて、シークイン２が切れたことを検出できる。
【００１９】
また、絶縁体であるシークイン２の有無によってベース５とシークイン押え６との間の電気抵抗値が大きく変化するので、この電気抵抗値（電気抵抗値の変化）に基づいて、制御部８はシークイン２が切れたことを確実に検出できる。
【００２０】
また、絶縁体であるシークイン２の有無によってベース５とシークイン押え６との間の電気抵抗値が大きく変化するので、この電気抵抗値と比較するための所定値（しきい値）を予め適宜設定することで、制御部８はシークイン２が切れたと確実に判定できる。
【００２１】
図３は、シークイン切れ検出装置１を用いた制御の一例を示すフローチャートである。
【００２２】
シークイン切れが発生した時には刺しゅう動作が停止するように刺しゅう機が制御されると、シークイン切れのまま作業が進んでしまうことがなく、従来のようにあとでシークインを付け直す手間がなくなり、作業者の負担を大きく軽減させることができる。
【図面の簡単な説明】
【００２３】
【図１】本発明に係るシークイン切れ検出装置１の斜視図。
【図２】図１におけるＡ方向矢視図。
【図３】シークイン切れ検出装置１を用いた制御の一例を示すフローチャート。
【符号の説明】
【００２４】
１  シークイン切れ検出装置
２  シークイン
３  シークイン連結体
４  シークイン送り装置
５  ベース（ベース部材）
６  シークイン押え（押え部材）
７  シークイン押えベース（支持部材）
８  制御部
２０  電気的接点
【図１】
2008264196.tif 000003
【図２】
2008264196.tif 000004
【図３】
2008264196.tif 000005